(57)【特許請求の範囲】
【請求項１】
建造物の出入口に風除室を有する入路部及び出路部を区画して設けた開閉装置において、その入路部及び出路部に二つ以上の風除室を隣接して配置するとともに各風除室の室内側と室外側にそれぞれ二枚の扉板からなる両開きタイプのスイング方式自動ドアを開閉可能に配設し、その内外自動ドアの開閉動作をインターロック制御し、かつ、前記入路部又は出路部ごとに、相隣れる一つの風除室の入側ドアが閉じ動作を起動する時より他の風除室の入側ドアを開き動作可能にし、さらに、各自動ドアごとに、開閉動作を案内する音声ガイド手段を設けたことを特徴とする出入口の開閉装置。
【発明の詳細な説明】
【技術分野】
【０００１】  本発明は、ホテルや百貨店あるいは病院などの建造物の出入口に構築された開閉装置、詳しくは建造物内に冷気や暖気が入り込むことを防止する風除機能をもたせるために、建造物の出入口に風除室を有する入路部及び出路部を区画して設けた出入口の開閉装置に関する。
【背景技術】
【０００２】  従来、効果的な風除機能をもたせる出入口の開閉装置として回転ドアが常設されているが、回転する扉板を緊急時に急停止させることができないなど安全性の確保が困難なことから、最近では特開２００７−１４６５４８号公報（特許文献１）に開示されるような開閉装置が提案されている。
具体的には、入口通路（入路用風除室）および出口通路（出路用風除室）を塞ぐ複数の平面パネル（扉板）を、それぞれ各通路に沿って平行スライド移動させるとともに各通路端において一方の通路から他方の通路へ横スライド移動させる、つまり扉板を入口通路と出口通路との間でスクエア状に循環移動させる装置である。【０００３】
【特許文献１】特開２００７−１４６５４８号公報
【発明の開示】
【発明が解決しようとする課題】
【０００４】  上記従来装置（特許文献１）においては、入口通路及び出口通路を衝立状に塞ぐ扉板が各通路に沿って移動する構造であるため、扉板の端縁と通路の側壁との間の気密性の確保が難しく風除効果が低下する虞がある。また、扉板を両通路間でスクエア循環移動させる方式であるから、自動ドアとしての駆動装置が大型化し施工上の困難性を伴うとともに入口通路（入路風除室）および出口通路（出路風除室）を独立させることが難しく、入場者又は退出者がいない場合でも一方が駆動すれば他方も連動して駆動させる必要があるなど実用上の難点がみられる。【０００５】  本発明は、上記従来事情に鑑みその不具合を解消して、通行者の安全性を維持しながら風除効果を高め、自動ドアとしての駆動装置の大型化を抑制する開閉方式にし、簡易にして実用上の便益大なる出入口の開閉装置を提供することを目的するものである。
【課題を解決するための手段】
【０００６】  斯る本発明の開閉装置は、建造物の出入口に風除室を有する入路部及び出路部を区画して設けた開閉装置において、その入路部及び出路部に二つ以上の風除室を隣接して配置するとともに各風除室の室内側と室外側にそれぞれ二枚の扉板からなる両開きタイプのスイング方式自動ドアを開閉可能に配設し、その内外自動ドアの開閉動作をインターロック制御し、かつ、前記入路部又は出路部ごとに、相隣れる一つの風除室の入側ドアが閉じ動作を起動する時より他の風除室の入側ドアを開き動作可能にし、さらに、各自動ドアごとに開閉動作を案内する音声ガイド手段を設けたことを特徴とする。
すなわち、自動ドアの扉板の開閉方式を、特許文献１のような循環移動方式とすることに代えて、一般的な自動ドアの開閉方式の中から設置間口幅を小さく、かつ回転範囲が狭小なスイング方式、例えば、開き戸、折れ戸、回転スライドなどの両開きタイプを採用するとともに風除機能を付与するためにインターロック制御を採用するものである。【０００７】  上記風除室の室内側と室外側にインターロック制御される自動ドアを配設することは、クリーンルームの出入口に採用されているが、それらは一般に扉板が横スライドにのみ移動するスライド方式であり、しかも風除室の内外いずれの方向からも出入り可能であるとともに内外自動ドアの開閉頻度がさほどに高くないものである。
本発明のような建造物の出入口に入路部と出路部を区画して配設する場合には、一般に入退場者の多い場合にも対応する必要があることから、入路部と出路部の一方または両方共に二つ以上の風除室を隣接して配置し、それにより入場者または退出者が開いている風除室側を選択して通行できるようにする。
そして、入路部または出路部の大量通行を維持するために、入場者または退出者が、待ち時間を無ないし最小で少なくともいずれか一つの自動ドアが開動可能な状態を確保する必要があり、そのために、相隣れる風除室の自動ドアの開閉時期を関連付けて制御、すなわち後述する実施の形態にて例示するような制御方式を採用する。【０００８】  さらに、入退出者の大量通行を確保するためには、常に入路部または出路部の自動ドアを開閉可能な状態にしておくことが好ましく、そのために、建造物の風除機能に影響が少ない状況、例えば春秋の季節あるいは建造物の内外温度差によって、前記インターロック制御を解除し、又は内外いずれか一方のドアを開放しておくようにしておくことも任意である。
なお、本発明においては、入路部と出路部を必ずしも並設することが要件ではなく離間した区域にそれぞれを配設することも自由であるが、入路部と出路部とを近接して並設する態様では、時間帯あるいは入出者数の多少に応じて入路部、出路部の通行方向を変更して入出側の通路数を増減させることもよく、それにより大量通行を維持することが可能である。
【発明の効果】
【０００９】  本発明によれば、各風除室の内外両側に配設する自動ドアを定置開閉方式かつスイング方式としたので、回転ドアに比べれば安全性を担保できるとともに通常一般的な開閉駆動装置を採用して簡易な構造の出入口装置を提供することができ、しかも、内外自動ドアの開閉動作をインターロック制御するので出入口の風除効果を確保することができる。【００１０】  また、各入路部又は出路部は、二つ以上の風除室を隣接して配置したので入場者または退出者が開いている風除室側を選択して通行可能となる。さらに、相隣れる風除室の自動ドアの開閉時期を関連付けて制御し、あるいは、出入口の状況に応じて適時にインターロック制御を解除し、入路部、出路部の通路数を増減変更させることによれば、入場者または退出者の大量通行を維持することが可能である。したがって、施工上および使用上に優れて実用上の便益を向上させることができる。
【発明を実施するための最良の形態】
【００１１】  本発明の実施の形態を図面により説明すると、図１は建造物の出入口１の概要を示す断面平面図、図２はその屋外から視た正面図である。
出入口１は、床面と天井部材との間に、図１に示すように側壁２，２…で区画された平面視矩形状の風除室３ａ，３ｂ，４ａ，４ｂが形成される。
風除室は、その風除室３ａ，３ｂを入路用風除室つまり入場者が建造物内へ入ろうとする入路部（入口通路）とし、風除室４ａ，４ｂを出路用風除室つまり退出者が外へ出ようとする出路部（出口通路）とする一方向通路としている。【００１２】  上記風除室３ａ，３ｂ，４ａ，４ｂは、それらの室内側及び室外側にそれぞれ自動ドアを開閉可能に設置する。詳しくは、入路用風除室３ａ，３ｂの入側（室外側）に自動ドア１１，１３を設置するとともに出側（室内側）に自動ドア１２，１４を設置し、出路用風除室４ａ，４ｂの入側（室内側）に自動ドア１５，１７を設置するとともに出側（室内側）に自動ドア１６，１８を設置する。
各風除室３ａ，３ｂ，４ａ，４ｂを区画する側壁２は、前記自動ドアを設置する側壁２’として強度の高い仕切壁板を使用し、対向する側壁２’に渉って無目２１を架設し（図２参照）、その無目２１内に図示しない自動ドアの駆動装置を取り付けている。
上記側壁２’以外の側壁２は、隣の風除室３ａ，３ｂ，４ａ，４ｂ内を透視できるようにガラス材や透明プラスチック材を使用することが好ましい。【００１３】  自動ドア１１〜１８は、マットスイッチや光線スイッチなどの起動センサ（図示せず）の検出により無目２１内の駆動装置が駆動して夫々の扉板１０を開閉制御させる周知のものであり、扉板１０の開閉方式としてスイング方式を採用する。具体的に図１では、スイング方式の一つである回転スライド、すなわち、扉板１０が略９０度開き方向へ回転しながら側壁２’寄りにスライドして該側壁２’に略平行な全開状態となるタイプを例示している。【００１４】  そして、自動ドア１１〜１８は、各風除室３ａ，３ｂ，４ａ，４ｂごとの自動ドア１１と１２、１３と１４、１５と１６，１７と１８をそれぞれ組とし、各組の自動ドアをインターロック制御するようにする。すなわち各組の自動ドア１１と１２、１３と１４、１５と１６，１７と１８は、入側または出側いずれかの扉板１０が開き状態のとき他方を開動しないように制御し、それにより各風除室の二枚の扉板を同時に開放させずに風除効果を確保させるものである。【００１５】  而して、図１により出入口１からの入退出を説明すれば、入場者Ｐが入路用風除室３ａの入側自動ドア１１に接近して起動センサが検出すると、自動ドア１１の扉板１０が開動するので当該入場者Ｐが風除室３ａに入室することができる。
また、入路風除室３ｂ内に入室した入場者Ｐは出側自動ドア１４に接近して該ドア１４の扉板１０が開動したときに建造物内に入場することができ、その間に風除室３ｂの入側自動ドア１３に入場者Ｐが接近したときは、入側自動ドア１１が未だ開いている状態ではそこから風除室３ａへ入室できるが、自動ドア１１が閉じでいる場合は、前記自動ドア１４が閉じるまで待ち該ドア１４が閉じたときに入側自動ドア１３が開動するので、そこから風除室３ｂへ入室することができ、その後は前記と同様に風除室３ｂの出側から建造物内へ入場することができる。
一方、出路用風除室４ａ又は４ｂから退出者Ｑが退出する場合も、通行方向が逆になるだけで前記入路用風除室の場合と同様に、風除室４ａ，４ｂの何れか開動する自動ドアを通して入室し出側から建造物外へ退出することができる。【００１６】  したがって、入路用および出路用のいずれも、各風除室３ａ，３ｂ，４ａ，４ｂの入側自動ドア１１，１３，１５，１７と出側自動ドア１２，１４，１６，１８のインターロック制御により風除機能を担保することができ、また、入路用および出路用のいずれにおいても、二つの入側自動ドアが設置されて適時に開閉可能であるので、それらを選択して入場または退出を有効に繰り返し通行させることができる。さらに、入路用および出路用の風除室の三つ又はそれ以上に増設することによって入場者または退出者の混雑を緩和することも可能である。【００１７】  そして、上記のインターロック制御に伴い、入場者または退出者の自動ドア開動待ち時間が長い場合には、さらに次の制御をするようにする。なお、入路用風除室と出路用風除室は同一の方式により制御することが可能であるので、説明の便宜上、入路用風除室３ａ，３ｂについてのみ図示して説明する（図３、図４）。
図３は、一方の風除室の入側自動ドアが閉じ動作を起動する時点より他方の風除室の入側自動ドアの開き動作を可能にするものである。具体的には、図１に例示するように、風除室３ａの入側自動ドア１１が開動して入場者Ｐが風除室３ａへ入室し、該ドアが全開した後に図３のように、入側自動ドア１１が閉じ動作をする際に、その閉じ動作の起動時点より他方の入側自動ドア１３を開き動作可能にするようにする。
なお、「開き動作可能にする」とは、出側自動ドア１４の閉じ完了信号の出力を確認して入側自動ドア１３の開き起動信号を出力し、該ドア１３の扉板１０を開動させることである。【００１８】  したがって、入側自動ドア１３の前に入場者がいない場合でも、出側自動ドア１４が全閉している限り自動ドア１３の扉板１０が開動するので、風除室３ａに向かった入場者Ｐも自動ドア１３の開動に気付いて当該ドア１３側つまり風除室３ｂへ転向することができる。その後に、図４に示すように、風除室３ａでは入室した入場者Ｐが出側自動ドア１２の開動により建造物内へ入場し、風除室３ｂにおいてはそちらへ転向した入場者Ｐも入室するとともに、さらに後続の入場者Ｐも風除室３ｂへ入室することができる。
なお、上記説明においては、入側自動ドア１１が閉じ動作をする場合を説明したが、入側自動ドア１３が閉じ動作を起動するときに他方の入側自動ドア１１が開き動作を可能にする場合も同様である。【００１９】  また、一方の風除室の入側自動ドアが全開してから所定のタイミング後に他方の風除室の入側自動ドアを開き動作可能にする制御方式でもよい。
例えば、図１において、風除室３ａの入側自動ドア１１が全開状態にあるが、その時点から一定時間後に風除室３ｂの入側自動ドア１３を、出側自動ドア１４が開いていない限り開動させるものである。それによれば、入側自動ドア１３の扉板１０が開くことにより風除室３ｂ側へ入場者を誘導させることができるので、風除室３ａへの入場者の流れを抑制して入側自動ドア１１の閉じ動作の起動を早めることができ、換言すれば、入側自動ドア１１の閉動により出側自動ドア１２の開動を早めて風除室３ａ内における通行を円滑にすることができる。【００２０】  さらに、他の制御方式として、一方の風除室の入側自動ドアと他方の風除室の出側自動ドアとを同期させるようにする。
具体的には、入路側においては、図１にあるように風除室３ａの入側自動ドア１１と風除室３ｂの出側自動ドア１４を、風除室３ｂの入側自動ドア１３と風除室３ａの出側自動ドア１２を同期させ、例えば、出側自動ドア１４が閉じ動作を起動するときに入側自動ドア１１も閉じ動作を開始し、入側自動ドア１１が開き動作を起動するときに出側自動ドア１４を開き動作を開始させるようにするものである。【００２１】  そして、上記の制御に加えて、自動ドア１１〜１８の開閉動作を案内する音声ガイド、例えば、それぞれの自動ドアごとに「まもなくドアが開きます」「まもなくドアが閉まります」「しばらくお待ちください」「お隣の入口（出口）へお回りください」などの音声を適時に発声させるようにする。
さらには、各風除室３ａ，３ｂ，４ａ，４ｂの入側に入室の可否を少し離れた位置から目視できるような信号２０を表示するようにする。具体的には、入側の自動ドア１１，１３，１６，１８の見やすい箇所、例えば無目２１に、入場可を意味する「◎」記号や文字等、入場不可を意味する「×」や文字等を各ドアの状態に応じて表示させる（図２参照）。
それらにより、入場者、退出者の混乱を防止して円滑な通行を可能にすることができる。【００２２】  次に、他の実施の形態を説明すると、上記インターロック制御は建造物内の風除効果を確保するための手法である。したがって、春季や秋季、あるいは比較的温暖で内外温度差がなく風除機能を必要としない時期にはインターロック制御は必ずしも必要としない。
そのために、風除室３ａ，３ｂ，４ａ，４ｂの内外適所に温度測定器を設けておき、その温度差が所定値以内の僅差である場合には、インターロック制御を解除しておくこともよい。
あるいは、インターロック制御の解除と共に、内外いずれか一方の自動ドア、好ましくは自動ドア１２，１４，１５，１７の各扉板１０を全開状態に開放しておくことが円滑な通行を確保する上で好ましい。【００２３】  また、上記のように入路用風除室３ａ，３ｂと出路用風除室４ａ，４ｂを並設した形態においては、入路用と出路用の風除室数を増減させることもよい。
例えば、入場者数が多い時間帯には、風除室４ａを入路用に変更して入路用風除室数を三通路、出路用風除室数を一通路とし、退場者数が多い時間帯には、風除室３ａを出路用に変更して出路用風除室数を三通路、入路用風除室数を一通路とする等である。そして、上記入場者数、退出者数を計測するために入路用風除室の入側位置、出路用風除室の出側位置にそれぞれ入出者管理装置を設置しておき、その測定値に応じて適宜に制御変更するものである。【００２４】  上記各種の制御を動作させるためには、自動ドアの駆動装置やコントローラ、音声案内装置、信号表示器、あるいは温度測定器、入出者管理装置などに接続する制御装置により実行する。【００２５】  上述した実施の形態においては、自動ドアのスイング方式として回転スライドドアを例示したが、それに代えて、例えば開き戸や折れ戸を採用すること、あるいは、それら回転スライド、開き戸、折れ戸の両開きタイプを採用することもよく、それらの一例として開き戸を使用する場合を図５に示す。なお、風除室としては上記の何れに設置しても同様であるので、図示説明を簡単にするために風除室３ａにて開き戸を設置した場合を示す。
図５（１）は、入側自動ドア３１および出側自動ドア３２に片開きタイプの開き戸、すなわち、一方の側壁２’寄りに配した一点支軸により扉板３０が略９０度回転して風除室３ａを開閉するドアである。
図５（２）は、入側自動ドア４１および出側自動ドア４２として、前記開きとの他のタイプであって二枚の扉板４０，４０からなる両開きタイプを採用したものである。
これら開き戸タイプを使用する場合、各風除室の入側の側壁２’先端縁に扉板３０又は４０を開閉自在に取付けることができるので、風除室の入側近傍に近づいた入場者が隣に風除室の自動ドアの開閉状態を判断し易くなり便利である。なお、このことは折り戸タイプを採用する場合も同様である。【００２６】  また、上述の実施の形態において、入路用風除室３ａ，３ｂと出路用風除室４ａ，４ｂを近接して並設した場合を例示したが、それに代えて、両風除室３ａ，３ｂと４ａ，４ｂとを建造物内の離れた区域に配設することもよい。
さらに、入路用風除室、出路用風除室をそれぞれ二室づつ形成した場合を例示したが、入場者数が多い建造物においては、三室あるいはそれ以上の複数室を増設することも任意である。
【図面の簡単な説明】
【００２７】
【図１】本発明出入口の開閉装置の概要を示す断面平面図である。
【図２】図１を屋外側から視た正面図である。
【図３】本発明における関連付け制御方式を説明する一部分の断面平面図である。
【図４】図３の状態より進行した状態の同断面平面図である。
【図５】本発明における自動ドアの他のタイプを例示する一部の断面平面図である。
【符号の説明】
【００２８】  １：出入口                        ２：側壁                    １０：扉板
３ａ，３ｂ：入路用風除室
３ａ，４ｂ：出路用風除室
１１，１３：入路用風除室の入側自動ドア
１２，１４：入路用風除室の出側自動ドア
１５，１７：出路用風除室の入側自動ドア
１６，１８：出路用風除室の出側自動ドア
【図１】
0005267914.tif 000002
【図２】
0005267914.tif 000003
【図３】
0005267914.tif 000004
【図４】
0005267914.tif 000005
【図５】
0005267914.tif 000006